(57)【要約】      （修正有）【課題】ハゼ部によって屋根材同士をつなぎあわせる場合に、サイフォン現象に起因する大量浸水を防止できる接続構造を提供する。【解決手段】屋根材本体Ｍの幅方向の一端に下ハゼ２を有し、他端に上ハゼ３を有する屋根材の複数枚を横並びで配列するとともに、隣接する屋根材の相互間で上ハゼ３、下ハゼ２を嵌合させて屋根材同士をつなぎ合わせる屋根材の接続構造において、下ハゼ２に、上方に向けて開放され、かつ、屋根材本体Ｍの長手方向に沿って連続的に伸延する少なくとも１本の溝部４を設け、溝部４の溝底４ａから隣接する屋根材の上ハゼの天板に至る寸法Ｈを、下式で定められるｂを上回る値に設定する。2017025649.tif 000007【選択図】図３
2017025649.tif 000002
【特許請求の範囲】
【請求項１】
屋根材本体の幅方向の一端に下ハゼを有し、該屋根材本体の幅方向の他端に上ハゼを有する屋根材の複数枚を軒方向、軒―棟方向に沿って横並び状態で配列するとともに、隣接する屋根材との相互間で上ハゼ、下ハゼをそれぞれ嵌合させて屋根材同士をつなぎ合わせる屋根材の接続構造において、
前記下ハゼに、上方に向けて開放され、かつ、前記屋根材本体の長手方向に沿って連続的に伸延する少なくとも１本の溝部を設け、
前記隣接する屋根材との相互間で上ハゼ、下ハゼをそれぞれ嵌合させて屋根材同士をつなぎ合わせた接続姿勢につき、該溝部の溝底から該隣接する屋根材の上ハゼの天板に至るまでの寸法が下記式で定められる値（ｂ）を上回るものであることを特徴とする屋根材の接続構造。
2017025649.tif 000006
ここに、ｂ：溝部の底壁から隣接する屋根材の上ハゼの天板に至るまでの寸法
（垂直距離）（ｍｍ）
Ｔ：水の表面張力（μＮ／ｍｍ）
ｈ：平板上に水を滴下させたときに該平板の上に形成される水滴の最
大高さ（ｍｍ）
ρ：水の密度（ｇ／ｍｍ３）
θ：水の屋根材裏面との接触角（ｄｅｇ）
ｇ：重力加速度（９．８×１０３ｍｍ／ｓ）
【請求項２】
前記下ハゼは、前記溝部が形成されており、かつ、隣接する屋根材の上ハゼの裏面に当接可能な天板と、該隣接する屋根材の上ハゼおよび屋根材の固定用タイトフレームにそれぞれに引き抜け不能に連係する顎部を有し一端が屋根材本体の幅方向の端部につながり他端が前記天板の幅方向のもう一方の端部につながる側板とを備えたものからなることを特徴とする請求項１に記載した屋根材の接続構造。
【請求項３】
前記下ハゼは、前記溝部を形成する凹状片と、隣接する屋根材の上ハゼに第１の顎部を介して引き抜け不能に連係するとともに一端が屋根材本体の幅方向の端部につながり他端が該凹状片の上端部につながる側板と、該凹状片に一体連結しその底壁で屋根材の固定面を形成する板状片と、この板状片の端縁につながり隣接する屋根材の上ハゼに第２の顎部を介して引き抜け不能に連係する側板とからなることを特徴とする請求項１に記載した屋根材の接続構造。
【発明の詳細な説明】
【技術分野】
【０００１】
本発明は、屋根材本体の幅方向端縁に設けられた下ハゼ、上ハゼをそれぞれ隣接する屋根材の上ハゼ、下ハゼに嵌合させて屋根材同士を相互につなぎ合わせて建築構造物（一般住宅や事務所、マンション、福祉施設、リゾート施設等）の屋根を葺きあげるのに好適な屋根材の接続構造に関するものである。
【背景技術】
【０００２】
従来、建築構造物の屋根を葺きあげる屋根材として、屋根材本体部分の幅方向の端縁の一方に下ハゼを設け、もう一方の幅方向の端縁に上ハゼを設けた嵌合式の屋根材が用いられている。
【０００３】
かかる屋根材は、その本体部分が一対の短辺部と一対の長辺部にて区画され、軒乃至軒−棟方向に沿って長尺な、偏平、矩形の平面形状を有するものが多く使用されており、下ハゼを、隣接配置する屋根材（同等の構成からなるもの）の上ハゼに嵌合させる一方、該上ハゼを隣接配置する他の屋根材の下ハゼに嵌合させることによって屋根材同士のつなぎ合わせが可能になっており、これによって屋根の効率的な葺きあげ施工を実現している。
【０００４】
ところで、この種の屋根材は、下ハゼと上ハゼとの嵌合部の合わせ面から毛細管現象により雨水が侵入しやすい不具合を有している。
【０００５】
この点に関する先行技術として、特許文献１には、係合雌部の開口部内に、接着時に流動性を示し、接着後に連結する他の屋根板材に対して接着性を示す弾性体となるシール材（ホットメルト型シール材）を装着した屋根板材およびその製造方法が提案されている。
【０００６】
また、特許文献２には、面板部の幅方向の一端に設けられた断面略三角形状の嵌合部の内側に長手方向に沿って弾性シール部材（スポンジ、ゴム、ウレタン材等）を装着し、この弾性シール部材を、鉤状膨出部の膨出頂片との間で圧縮変形させることによって雨水の侵入を防止した屋根板およびその屋根が提案されている。
【先行技術文献】
【特許文献】
【０００７】
【特許文献１】特開２００５−２１３８１０号公報
【特許文献２】特開平９−２５６５５７号公報
【発明の概要】
【発明が解決しようとする課題】
【０００８】
しかしながら、上記特許文献１、２で提案されている従来のシール構造においては、以下に述べるような解決すべき課題が残されている。
【０００９】
すなわち、特許文献１のような、ホットメルト型シール材を用いたシール構造においては、屋根材の葺あげ施工に際してシール材の厚さ（断面積）を一定にするのが難しく、上ハゼ、下ハゼとの間に隙間が生じやすい。また、特許文献２のような弾性シール部材を用いたものにあっては、上ハゼ、下ハゼの嵌合に際してシール部材が位置ずれしやすいうえ、経年劣化等によりシール部材を固定する接着剤が劣化した場合に、屋根にかかる荷重の影響あるいは熱膨張による屋根材の変形等によりシール部材が剥がれてしまうこともある。
【００１０】
通常、この種のシール部材は、上ハゼと下ハゼとの相互間で挟持、圧着することによって防水性を確保しているところ、施工時に隙間が残されたままになっていたり、シール部材の位置ずれや剥がれ等によって上ハゼと下ハゼとの間に隙間が形成されると、降雨時に、毛細管現象によって嵌合部内の雨水の水位が外側の水位よりも上昇し、図５に示すような経路を辿って雨水が屋根裏側へと流れ込んでしまった場合に、その流れが継続し、外側の平板部に滞留している雨水が大量に屋根裏側へ侵入してしまうことがあった。これは、嵌合部の隙間が雨水により完全に満たされた状態になると、その部位（サイフォン管と見なせる）でサイフォン現象が起こることによる。
【００１１】
また、軒先に氷雪等が堆積し、雨水や融雪水が軒先でダム状に滞留して屋根の一部を水没させ、上ハゼと下ハゼとの嵌合部内が雨水や融雪水で満たされてしまうことがあり、この場合にあっては、上記のような隙間が形成されていると外部の水位が上ハゼ頂上を下回ってもサイフォン現象によって雨水が屋根裏へと流れ込み続けてしまい、これが「すが漏れ」を起こす原因になっていた。
【００１２】
本発明の目的は、上ハゼと下ハゼを嵌合させて屋根材同士をつなぎ合わせる場合において従来懸念された嵌合部分からの雨水の侵入について、サイフォン現象によって上ハゼ頂上以下の水位の滞留水が侵入することによる大量浸水を、シール部材を使用することなしに確実に防止できる屋根材の接続構造を提案するところにある。
【課題を解決するための手段】
【００１３】
本発明は、屋根材本体の幅方向の一端に下ハゼを有し、該屋根材本体の幅方向の他端に上ハゼを有する屋根材の複数枚を軒に沿って横並び状態で配列するとともに、隣接する屋根材の相互間で上ハゼ、下ハゼをそれぞれ嵌合させて屋根材同士をつなぎ合わせる屋根材の接続構造において、前記下ハゼに、上方に向けて開放され、かつ、前記屋根材本体の長手方向に沿って連続的に伸延する少なくとも１本の溝部を設け、
前記隣接する屋根材との相互間で上ハゼ、下ハゼをそれぞれ嵌合させて屋根材同士をつなぎ合わせた接続姿勢につき、該溝部の溝底から該隣接する屋根材の上ハゼの天面に至るまでの寸法（垂直距離）が下記式で定められる値（ｂ）を上回る値であることを特徴とする屋根材の接続構造である。
【００１４】
2017025649.tif 000003
【００１５】
ここに、ｂ：溝部の底壁から隣接する屋根材の上ハゼの天板に至るまでの垂直
距離（ｍｍ）
Ｔ：水の表面張力（μＮ／ｍｍ）
ｈ：平板上に水を滴下させたときに該平板の上に形成される水滴の最
大高さ（ｍｍ）
ρ：水の密度（ｇ／ｍｍ３）
θ：水の屋根材裏面との接触角（ｄｅｇ）
ｇ：重力加速度（９．８×１０３ｍｍ／ｓ）
【００１６】
上記の構成からなる屋根材の接続構造において、前記下ハゼは、前記溝部が形成されており、かつ、隣接する屋根材の上ハゼの裏面に当接可能な天板と、該隣接する屋根材の上ハゼおよび屋根材の固定用タイトフレームにそれぞれに引き抜け不能に連係する顎部を有し一端が屋根材本体の幅方向の一端につながり他端が前記天板の幅方向の端部につながる側板とを備えたものからなること（折板屋根材等）、また、前記下ハゼは、前記溝部を形成する凹状片と、隣接する屋根材の上ハゼに第１の顎部を介して引き抜け不能に連係するとともに一端が屋根材本体の幅方向の端部につながり他端が該凹状片の上端部につながる側板と、該凹状片に一体連結しその底壁で屋根材の固定面を形成する板状片と、この板状片の端縁につながり隣接する屋根材の上ハゼに第２の顎部を介して引き抜け不能に連係する側板とからなること、が課題解決のための具体的手段として好ましい。
【００１７】
また、本発明は、屋根材本体の幅方向の両端にそれぞれハゼ部を有する屋根材の複数枚を軒方向もしくは軒−棟方向に沿って横並び状態で配列するとともに、隣接する屋根材の相互間で各ハゼ部にカバーキャップを被せて屋根材同士をつなぎ合わせる屋根材の接続構造において、前記各ハゼ部を、前記溝部を形成する凹状片と、前記カバーキャップに顎部を介して引き抜け不能に連係するとともに一端が屋根材本体の幅方向の端部につながり他端が該凹状片の上端部につながる側板と、該凹状片に一体連結しその底壁を隣接する屋根材の板状片と重ね合わせて屋根材の固定面を形成する板状片からなるもので構成し、前記屋根材本体の幅方向の両端に位置するハゼ部については、顎部が相互に向い合せになるように構成することもできる。
【発明の効果】
【００１８】
本発明の屋根材の接続構造によれば、下ハゼに、上ハゼの天板に向けて開放され、屋根材本体の長手方向に沿って連続的に伸延する少なくとも１本の溝部を設け、この溝部の溝底から上ハゼの天壁に至るまでの寸法（垂直距離）を上記の式で定められる値（ｂ）を上回る値に設定することで、たとえ、雨水等が毛細管現象により下ハゼの頭部の頂面まで吸上げられたとしても溝部においてそれ自体の自重により水の層（水路）が断ち切られることになり、サイフォン現象によって雨水等が屋根裏側へ流れ込むのを防止することができる。
【００１９】
また、本発明の屋根材の接続構造によれば、下ハゼを、溝部が形成されており、かつ、隣接する屋根材の上ハゼの裏面に当接可能な天板と、該隣接する屋根材の上ハゼおよび屋根材の固定用タイトフレームにそれぞれに引き抜け不能に連係する顎部を有し一端が屋根材本体の幅方向の一端につながり、他端が前記天板の幅方向の端部につながる側板とを備えたもので構成することで、サイフォン現象による雨水等の屋根裏側への流れ込みが防止されるだけでなく屋根材の嵌合強度を高めることができる。
【００２０】
また、本発明の屋根材の接続構造によれば、下ハゼを、溝部を形成する凹状片と、隣接する屋根材の上ハゼに第１の顎部を介して引き抜け不能に連係するとともに一端が屋根材本体の幅方向の端部につながり他端が該凹状片の上端部につながる側板と、該凹状片に一体連結しその底壁で屋根材の固定面を形成する板状片と、この板状片の端縁につながり隣接する屋根材の上ハゼに第２の顎部を介して引き抜け不能に連係する側板とを備えたもので構成したため、サイフォン現象による雨水等の流れ込みを阻止することができることに加え、板状片を利用して屋根材を野地板へ直接固定することができる。
【図面の簡単な説明】
【００２１】
【図１】本発明にしたがう屋根材の接続構造に用いて好適な屋根材の正面を示した図である。
【図２】図１に示した屋根材の外観斜視図である。
【図３】図１、２に示した屋根材を用いて構成された屋根材の接続構造を模式的に示した図である。
【図４】図１、２に示した屋根材をつなぎ合わせる直前の状態を示した図である。
【図５】式の導出要領の説明図である。
【図６】本発明にしたがう他の接続構造に用いて好適な屋根材の正面を示した図である。
【図７】図６に示した屋根材を用いて構成された屋根材の接続構造の要部を模式的に示した図である。
【図８】本発明の接続構造に用いることができる屋根材の正面を示した図である。
【図９】図８に示した屋根材を用いて構成された屋根材の接続構造の要部を模式的に示した図である。
【発明を実施するための形態】
【００２２】
以下、図面を参照して本発明をより具体的に説明する。
図１は、本発明に用いて好適な屋根材の正面を示した図であり、図２は、その屋根材の外観斜視図であり、図３は、図１、２に示した屋根材によって構成された屋根材の接続構造の実施の形態をその要部断面について模式的に示した図であり、図４は、図１、２に示した屋根材をつなぎ合わせる直前の状態を示した図である。
【００２３】
なお、本発明の屋根材の接続構造は、建築構造物の屋根のサイズに合わせて複数枚の屋根材をつなぎ合わせて構成するものを基本とするが、ここでは、３枚の屋根材をつなぎ合わせて屋根材の接続構造を構成する場合を例示して説明する。また、本発明において「隣接する屋根材」とは、右隣、左隣に配置される屋根材あるいは軒−棟方向に沿って配置される屋根材を意味しており、形状や寸法等は全て同じものが使用される。
【００２４】
図１〜４における符号１は、縦葺きタイプの例で示した屋根材である。この屋根材１は、軒方向に沿って伸延する一対の短辺部１ａ、１ｂと、この短辺部１ａ、１ｂにつながり、軒−棟方向に沿って伸延する一対の長辺部１ｃ、１ｄとによって区画された偏平、矩形の平面形状からなる屋根材本体Ｍを備えたものであって、ここでは屋根材本体Ｍの幅方向の両端部をそれぞれ角度をもって上開き状態で立ち上げた折り曲げ部１ｅ、１ｆを形成したもの（折板屋根材）を例として示してある。
【００２５】
屋根材１の屋根材本体Ｍは、軒方向に沿って伸延する一対の長辺部と、この長辺部につながり、軒−棟方向に沿って伸延する一対の短辺部とによって区画された扁平、矩形の平面形状からなるものを適用することも可能であり、本発明では屋根材の屋根材本体Ｍの平面形状については図示のものに限定されることはない。また、屋根材本体Ｍの両端部に折り曲げ部１ｅ、１ｆを形成するかどうかについても任意に変更し得る。
【００２６】
屋根材１としては、具体的には、亜鉛めっき鋼板、アルミニウム亜鉛合金めっき鋼板、アルミニウム板、ステンレス鋼板、銅板等が用いられる。
【００２７】
また、２は、屋根材本体Ｍの幅方向の一端に設けられた下ハゼである（曲げ加工、プレス加工等により成形される）。この下ハゼ２は、図３、４に示すように、隣接する屋根材１′の上ハゼ３′の内部空間Ｎ′に嵌合可能で、かつ、屋根材の固定用タイトフレームＴ１の外表面に嵌合可能な凹部Ｅを有する台形状の断面形状をなしており、該隣接する屋根材１′の上ハゼ３′の天板３ａ′の裏面に当接可能な天板（水平板等）２ａと、該隣接する屋根材１′の上ハゼ３′の顎部３ｄ′および屋根材の固定用タイトフレームＴ１の顎部それぞれ引き抜け不能に連係（引っ掛かる）する顎部２ｂを有し一端が屋根材本体Ｍの幅方向の一端につながる一方、他端が天板２ａの幅方向の端部に角度をもってつながる側板（傾斜板等）２ｃと、天板２ａの幅方向の外側端縁にて角度をもって垂下保持され、例えば、固定用タイトフレームＴ１の頭部外表面に当接可能な垂下片（傾斜板等）２ｄから構成されている。
【００２８】
また、３は、屋根材本体Ｍの幅方向の他端に設けられた上ハゼである（曲げ加工、プレス加工等により成形される）。この上ハゼ３は、図３、４に示すように、隣接する屋根材１′′の下ハゼ２′′に嵌合可能な内部空間Ｎを有する台形状の断面形状をなすものであって、隣接する屋根材１′′の下ハゼ２′′の天板２ａ′′の上面に当接可能な天板３ａと、屋根材の固定用タイトフレームＴ２の顎部に引き抜け不能に連係（引っ掛かる）する顎部３ｂを有し一端が屋根材本体Ｍの幅方向の一端につながる一方、他端が天板３ａの幅方向の端部に角度をもってつながる側板（傾斜板等）３ｃと、隣接する屋根材１′′の下ハゼ２′′の顎部２ｂ′′に連係する顎部３ｄを有し天板３ａの幅方向の外側端縁にて角度をもって垂下保持される側板（傾斜板等）３ｅから構成されている。
【００２９】
また、４は、下ハゼ２の天板２ａに設けられた溝部である。この溝部４は、上方に向けて開放され、かつ、根材本体Ｍの長手方向に沿って連続的に伸延するものであって、風圧、毛細管現象などにより雨水等が下ハゼ２の頂部に達した場合に、その雨水等を軒に向けて流下させる機能を有している。溝部４の断面形状は、逆台形状のものを例として示したが、その形状については任意に変更し得る。
【００３０】
溝部４は、隣接する屋根材１′との相互間で上ハゼ３′、下ハゼ２をそれぞれ嵌合させて屋根材同士をつなぎ合わせた接続姿勢において、溝部４の溝底４ａから隣接する屋根材１′の上ハゼ３′の天板３ａ′に至るまでの寸法Ｈが上記式で定められる値（ｂ）を上回るように設定されるものであって（図３参照）、これにより、サイフォン現象による屋根裏への雨水等の侵入を防止している。溝部４の溝幅は、下ハゼ２のサイズに応じて適宜変更される。
【００３１】
本発明にしたがう屋根材の接続構造を構成するには、屋根材の固定用タイトフレームＴ２に既に固定された屋根材（隣接する屋根材）１′′の下ハゼ２′′に上ハゼ３を嵌合させるとともに、下ハゼ２を屋根材の固定用タイトフレームＴ１に嵌合させ、さらに下ハゼ２に、隣接する屋根材１′の上ハゼ３′を嵌合させればよく、この作業を、建築構造物の屋根の軒方向に沿って繰り返していけばよい。
【００３２】
なお、屋根材同士のつなぎ合わせに際しては、下ハゼ２を屋根材の固定用タイトフレームＴ１に嵌合させたのち、上ハゼ３を、隣接する屋根材１′′の下ハゼ２′′に嵌合させてもよく、屋根材のつなぎ合わせの手順についてはとくに限定されない。
【００３３】
屋根材１の上ハゼ３を、隣接する屋根材１′′の下ハゼ２′′に嵌合させるには、上ハゼ３を下ハゼ２′の上方に位置せしめ、上ハゼ３を下ハゼ２′に向けて強く押し込めばよく、これにより、上ハゼ３の側板３ｃ、３ｅが弾性変形して隣接する屋根材の下ハゼ２′が上ハゼ３の内部空間Ｎに入り込んで嵌合する。
【００３４】
また、屋根材１の下ハゼ２を屋根材の固定用タイトフレームＴ１に嵌合させるには、下ハゼ２を屋根材の固定用タイトフレームＴの上方に位置せしめ、下ハゼ２を屋根材の固定用タイトフレームＴ１に向けて押し込めばよく、これにより、下ハゼ２の側板２ｃ、垂下片２ｄが弾性変形して屋根材の固定用タイトフレームＴ１の頭部が下ハゼ２の凹部Ｅに入り込んで嵌合する。
【００３５】
上記の構成からなる屋根材の接続構造においては、屋根材１の下ハゼ２の外表面のほぼ全域（溝部４を除いた領域）が隣接する屋根材１′の上ハゼ３′の裏側面に密着するため、嵌合強度が高い利点を有している。
【００３６】
本発明においては、とくに、隣接する屋根材１′との相互間で上ハゼ３′、下ハゼ２をそれぞれ嵌合させて屋根材同士をつなぎ合わせた接続姿勢において、溝部４の溝底４ａから隣接する屋根材１′の上ハゼ３′の天板３ａ′に至るまでの寸法Ｈが上記式で定められる値（ｂ）を上回る値とすることとしたが、上記の式は、以下のようにして導き出されるものである。
【００３７】
すなわち、図５に示すように、上下に隙間を隔てて水平かつ平行に配置された二枚の板材５、６（上側の板材を上ハゼ、下側の板材を下ハゼとみなすことができる）があって、その相互間に水の層７が介在している場合、該水の層７が上側の板材５から剥がれ落ちるのに必要なエネルギー（界面エネルギー）Ｗａは、水の表面張力をＴ（μＮ／ｍｍ）、水と上側の板材５の裏面（水が接着している面）との接触角をθ（ｄｅｇ）、水の接着幅をＬ（ｍｍ）とすると、ヤング・デュプレの式から、
Ｗａ＝Ｔ（１＋ｃｏｓθ）Ｌ    …（１）
で求められる。
【００３８】
また、水の層７が上側の板材５から剥がれ落ちるときに失う重力ポテンシャルエネルギーＵは、二枚の板材５、６の隙間をｂ（ｍｍ）、水の密度をρ（ｇ／ｍｍ３）、重力加速度をｇ（ｍｍ／ｓ２）、水の接着幅をＬ（ｍｍ）、下側の板材に形成される水（水滴）の最大高さをｈ（ｍｍ）とすると、
Ｕ＝ρｇＬ（ｂ−ｈ）２        …（２）
で求められる。
【００３９】
ここに、水の層７が上側の板材５から剥がれ落ちるときに失う重力ポテンシャルエネルギーＵが、界面エネルギーＷａと釣り合うとすると、上記（１）、（２）より、
2017025649.tif 000004
となり、溝部４の溝底から隣接する屋根材の上ハゼの天板に至るまでの寸法（垂直隙間）Ｈを、少なくともｂの値よりも大きくすれば、サイフォン現象を引き起こすような水の層が形成されることはなくなる。
【００４０】
例えば、最大高さｈが３．５（ｍｍ）で、水の表面張力Ｔが７２．８（μＮ／ｍｍ）（２０℃）、接触角θが７９．７（ｄｅｇ）（カラー鋼板裏面）、水の密度ρが０．９９８×１０−３（ｇ／ｍｍ３）（２０℃）、重力加速度ｇが９．８×１０３（ｍｍ／ｓ２）とすると、
【００４１】
2017025649.tif 000005
となり、この場合、垂直隙間Ｈはこの値よりも大きな値として例えば７ｍｍ程度に設定される。
【００４２】
図６は、本発明に用いて好適な他の屋根材をその正面について示した図であり、図７は、その屋根材を用いて構成された本発明にしたがう屋根材の接続構造の他の実施の形態を示した図である。
【００４３】
この屋根材は、屋根材本体Ｍを全域にわたってフラットにするとともに、上ハゼ３の側板３ｅの末端部での強度の改善を図るべくヘミング加工を施して、隣接する屋根材１′′の下ハゼ２′′の顎部２ｆ′′の直下に該末端部を適合させて抜け止めする一方、下ハゼ２を、溝部４を形成する凹状片２ｅと、隣接する屋根材１′の上ハゼ３′に第１の顎部２ｆを介して引き抜け不能に連係するとともに一端が屋根材本体Ｍの幅方向の端部につながり他端が該凹状片２ｅの上端部につながる側板２ｇと、該凹状片２ｅに一体連結しその底部で屋根材の固定面を形成する板状片２ｈと、この板状片２ｈの端縁につながり隣接する屋根材１′の上ハゼ３′に第２の顎部２ｉを介して引き抜け不能に連係する側板２ｊから構成したものである。
【００４４】
かかる屋根材は、板状片２ｈにおいてビスをねじ込むか、あるいは釘を打ちつけることによって野地板に固定することができるものであって、この場合も、溝部４の溝底４ａから隣接する屋根材１′の上ハゼ３′の天板３ａ′に至るまでの寸法Ｈを上記式で定められる値（ｂ）を上回るように設定されるため、サイフォン現象による屋根裏への雨水等の侵入を回避することができる。
【００４５】
上記の構成からなる屋根材においては、側板２ｇ、２ｊを三角断面形状に成形加工を施して横向きの膨出部分を形成しその部位を、第１の顎部２ｆ、第２の顎部２ｉとしたものを例として示したが、第１の顎部２ｆ、第２の顎部２ｉが隣接する屋根材１′の上ハゼ３′に引き抜け不能に嵌合するものであれば側板２ｇ、２ｊの形状は適宜変更可能であり図示のものに限定されることはない。なお、側板２ｊの末端部にもヘミング加工を施して強度の改善を図るようにしてもよい。
【００４６】
図８は、本発明に用いて好適な屋根材をその正面について示した図であり、図９は、その屋根材を用いて構成された屋根材の接続構造を要部について示した図である。
【００４７】
この接続構造は、屋根材本体Ｍの両端にそれぞれハゼ部８、９を有する屋根材の複数枚を、軒方向もしくは軒−棟方向に沿って横並び状態で配列するとともに、隣接する屋根材１′、１′′の相互間で各ハゼ部８、９に、図９に示す如きドーム型断面形状をなすカバーキャップ１０を被せて屋根材同士を相互につなぎ合わせたものである。
【００４８】
ハゼ部８、９は、溝部４を形成する凹状片８ａ、９ａと、カバーキャップ１０に顎部８ｂ、９ｂを介して引き抜け不能に連係するとともに一端が屋根材本体Ｍの幅方向の端部につながり他端が凹状片８ａ、９ａの上端につながる側板８ｃ、９ｃと、該凹状片８ａ、９ａに一体連結し隣接する屋根材１′、１′′の板状片９ｄ′、８ｄ′′と重ね合わさることによって屋根材の固定面を形成する板状片８ｄ、９ｄから構成されており、ハゼ部８、９の顎部８ｂ、顎部９ｂは互いに向かい合わせの配置になっている。
【００４９】
また、カバーキャップ１０は、ハゼ部８、９の上面および隣接する屋根材１′、１′′のハゼ部９′８′′の上面を覆う天板１０ａと、この天板１０ａの幅方向の一端につながりハゼ部８、９の顎部８ｂ、９ｂに連係（引っ掛かる）する側壁１０ｂ、１０ｃと、該天板１０ａの幅方向の他端につながり隣接する屋根材１′、１′′のハゼ部９′、８′′の顎部９ｂ′、８ｂ′′に連係する側壁１０ｄ、１０ｅから構成されている。
【００５０】
かかる屋根材は、板状片８ｄ、９ｄ′、板状片９ｄ、８ｄ′′においてビスをねじ込むかあるいは釘を打ちつけることによって野地板に固定することができるものである。この接続構造においても、屋根材同士をつなぎ合わせた接続姿勢で、溝部４の溝底４ａからカバーキャップ１０の天板１０ａに至るまでの寸法Ｈが上記式で定められる値（ｂ）を上回る値に設定されており、これによりサイフォン現象による屋根裏への雨水等の侵入を回避している。
【００５１】
上掲図８に示した屋根材のハゼ部８、９は、基本的には曲げ加工、プレス加工等によって成形されるものであり、ハゼ部８、９の側板８ｃ、９ｃを、横向きに膨出部させてその膨出部を顎部８ｂ、９ｂとする三角断面形状をなすものとし、かつ、カバーキャップ１０の側壁１０ｂ、１０ｃ、１０ｄ、１０ｅを該側板８ｃ、９ｃと同様の形状としたものを例としたが本発明は図示のものに限定されない。とりわけ、この種の屋根材は、ハゼ部８、９の形状を線対称とすることができるため、屋根材をロール成形によって製造する場合にロールの形状を簡素化できる利点を有している。
【００５２】
寸法Ｈは、その値が大きくなるほど毛細管現象を抑制するのには有利であるため、とくに、上限値については設定されない。また、溝幅に関しても、その値が大きくなればなるほどサイフォン現象を抑制するのに有利であるため、上限値は設定されない。
【産業上の利用可能性】
【００５３】
本発明によれば、ハゼ部（上ハゼ、下ハゼ）を嵌合させて屋根材同士を相互に連結する場合において従来避けられなかった嵌合部からの雨水等の侵入（サイフォン現象に起因する大量浸水）を回避し得る屋根材の接続構造が提供できる。
【符号の説明】
【００５４】
１、１′、１′′      屋根材
１ａ、１ｂ      短辺部
１ｃ、１ｄ      長辺分
１ｅ、１ｆ      折り曲げ部
２、２′′      下ハゼ
２ａ、２ａ′′      天板
２ｂ、２ｂ′′      顎部
２ｃ、２ｃ′′      側板
２ｄ、２ｄ′′      垂下片
２ｅ、２ｅ′′      凹状片
２ｆ、２ｆ′′      第１の顎部
２ｇ、２ｇ′′      側板
２ｈ、２ｈ′′      板状片
２ｉ、２ｉ′′      第２の顎部
２ｊ、２ｊ′′      側板
３、３′      上ハゼ
３ａ、３ａ′      天板
３ｂ、３ｂ′      顎部
３ｃ、３ｃ′      側板
３ｄ、３ｄ′      顎部
３ｅ、３ｅ′      側板
４      溝部
４ａ    溝底
５      板材
６      板材
７      水の層
８、８′′、９、９′      ハゼ部
８ａ、８ａ′′、９ａ、９ａ′      凹状片
８ｂ、８ｂ′′、９ｂ、９ｂ′      顎部
８ｃ、８ｃ′′、９ｃ、９ｃ′      側板
８ｄ、８ｄ′′、９ｄ、９ｄ′      板状片
１０      カバーキャップ
１０ａ      天板
１０ｂ、１０ｃ、１０ｄ、１０ｅ      側壁
Ｍ      屋根材本体
Ｎ、Ｎ′      内部空間
Ｅ      凹部
Ｔ１、Ｔ２      屋根材の固定用タイトフレーム
【図１】
2017025649.tif 000008
【図２】
2017025649.tif 000009
【図３】
2017025649.tif 000010
【図４】
2017025649.tif 000011
【図５】
2017025649.tif 000012
【図６】
2017025649.tif 000013
【図７】
2017025649.tif 000014
【図８】
2017025649.tif 000015
【図９】
2017025649.tif 000016